(57)【要約】      （修正有）【課題】１種類の蓋で色々な大きさの開口を得ることができる蓋構造及びこれを用いたフリーアクセスフロアパネルを提供する。【解決手段】  フリーアクセスフロアパネルの開口部に取り付けられる蓋構造３０であって、開口部に嵌合し側部に切り欠き部３２ａを有する本体板部３２と、本体板部３２に回転自在に取り付けられ、回転角度によって切り欠き部３２ａの開口面積を変化させる取付け板部３８とを備えたことを特徴とするものである。【選択図】図８
2006161379.tif 000002
【特許請求の範囲】
【請求項１】
フリーアクセスフロアパネルの開口部に取り付けられる蓋構造であって、
前記開口部に嵌合し側部に切り欠き部を有する本体板部と、
前記本体板部に回転自在に取り付けられ、回転角度によって前記切り欠き部の開口面積を変化させる取付け板部と
を備えたことを特徴とする蓋構造。
【請求項２】
前記取付け板部の外周部に、大きさが相互に異なる複数の切り欠き部が形成されていることを特徴とする請求項１に記載の蓋構造。
【請求項３】
フリーアクセスフロアパネルの開口部に取り付けられる蓋構造であって、
前記開口部に嵌合し側部に切り欠き部を有する本体板部と、
前記本体板部に回転自在に取り付けられ、回転角度によって前記切り欠き部の開口面積を変化させる取付け板部とを備えた蓋構造を用いた
ことを特徴とするフリーアクセスフロアパネル。
【請求項４】
前記取付け板部の外周部に、大きさが相互に異なる複数の切り欠き部が形成されていることを特徴とする請求項３に記載のフリーアクセスフロアパネル。
【発明の詳細な説明】
【技術分野】
【０００１】
本発明は、フリーアクセスフロアパネルの上面開口部に取り付けて用いられる蓋構造及びこれを用いたフリーアクセスフロアパネルに関するものである。
【背景技術】
【０００２】
例えば従来のフリーアクセスフロアパネルには、床下から床上にコード類やダクト、配管等の延長部材を引き出すために、その上面側の平面板部に、床上から床下に貫通する開口部が形成されたものがあった。このような開口部は、上記延長部材が大きな径のものでも通せるように、その開口面積が大き目に形成される場合が多い。
【０００３】
しかしながら、そのような開口面積が大きな開口部に径が小さいコード類を通した場合は、その開口部の輪郭線とコード類の周面との間に大きな空隙ができてしまい、このためにその大きな空隙から床下にゴミ等が落下したりするほか、女性のハイヒール靴の高いかかとが落込んだり、靴のつま先が引っ掛かったりすると非常に危険であるという問題があった。
【０００４】
このような問題を解決するために、従来は、フリーアクセスフロアパネルの開口部に蓋を設け、この蓋に種々の大きさの開口を形成した複数の蓋を用意し、その中からいずれか一つを選択したり、後に他のものと交換できるようにしたものがあった。
【０００５】
このような従来の、フリーアクセスフロアパネルの開口部に、種々の複数の蓋のいずれか一つを交換可能に取り付けられるようにした構造について、図９ないし図１３を参照しながら以下に説明する。
【０００６】
図９はフリーアクセスフロアパネル２０の上面図、図１０はその下面図を示すものである。図９に示すように、フリーアクセスフロアパネル２０の上面側には平面板部２０ａが形成されており、図１０に示すように、フリーアクセスフロアパネル２０の下面側には上記平面板部２０ａを補強するための多数の、長い帯板状のリブ２０ｂが互いに格子状に交差して形成されている。
【０００７】
このフリーアクセスフロアパネル２０の平面板部２０ａには、床上から床下に貫通する大きな開口部２２が形成されている。この開口部２２の輪郭線２２ａ近傍のリブ２０ｃの端部は、図９,１０に示すように、開口部２２の輪郭線２２ａより内側に少し入り込んだところまで形成されている。
【０００８】
図１１に示すように、開口部２２の輪郭線２２ａの内側のリブ２０ｃの上面２０ｄは、平面板部２０ａの下面と一致していると共に、リブ２０ｃは輪郭線２２ａの内側に少し入り込んでいるので、平面板部２０ａの上面とリブ２０ｃの上面２０ｄとの間には段差２２ｂが形成されている。
【０００９】
このようなフリーアクセスフロアパネル２０の開口部２２には、図１２に示すように、板状の蓋部材２５が嵌合して取り付けられ、この蓋部材２５の周部は、図１１に示すように、リブ２０ｃの上面２０ｄの上に載置されて支持されるようになっている。この蓋部材２５には、図１３（ａ）に示すように、その側部に開口するような径が大きなＵ字切り欠き孔２５ａが形成されている。
【００１０】
フリーアクセスフロアパネル２０の開口部２２に嵌合して取り付けられる蓋部材としては、図１３（ａ）に示すような蓋部材２５の他に、図１３（ｂ）に示す径が小さなＵ字切り欠き孔２６ｂが形成された蓋部材２６や、図１３（ｃ）に示す開口部が全く形成されていない蓋部材２７のいずれか一つが用いられるようになっている。
【００１１】
このため、径が最も大きな配管やダクト等を床下から床上に引き出す場合は、フリーアクセスフロアパネル２０の開口部２２に直接配管やダクト等を通すようになっている。
【００１２】
また、上記径が最も大きなものよりは径が小さな配管やダクト等を床下から床上に引き出す場合は、図１３（ａ）に示される、径が大きい方のＵ字切り欠き孔２５ａが形成された蓋部材２５を、フリーアクセスフロアパネル２０の開口部２２に取り付けて、そのＵ字切り欠き孔２５ａに配管やダクト等を通すようになっている。
【００１３】
また、それよりさらに径が小さなコード類等を床下から床上に引き出す場合は、図１３（ｂ）に示す径が小さい方のＵ字切り欠き孔２６ｂが形成された蓋部材２６を前記開口部２２に取り付けて、そのＵ字切り欠き孔２６ｂにコード類等を通すようになっている。
【００１４】
さらに、床下から床上に引き出すコード類やダクト、配管等が何もない場合は、図１３（ｃ）に示す開口部が全く形成されていない蓋部材２７を、前記開口部２２に取り付けるようになっている。
【発明の開示】
【発明が解決しようとする課題】
【００１５】
しかしながら、このような従来の蓋部材にあっては、色々な大きさの開口を得るためには複数の蓋部材が必要となるという問題があった。
【００１６】
そこで本発明は、上記問題点に鑑みて、１種類の蓋で色々な大きさの開口を得ることができる蓋構造及びこれを用いたフリーアクセスフロアパネルを提供することを課題とするものである。
【課題を解決するための手段】
【００１７】
上記課題を解決するために、本発明の蓋構造は、
フリーアクセスフロアパネルの開口部に取り付けられる蓋構造であって、
前記開口部に嵌合し側部に切り欠き部を有する本体板部と、
前記本体板部に回転自在に取り付けられ、回転角度によって前記切り欠き部の開口面積を変化させる取付け板部とを備えたことを特徴とするものである。
【００１８】
また上記課題を解決するために、本発明のフリーアクセスフロアパネルは、
フリーアクセスフロアパネルの開口部に取り付けられる蓋構造であって、
前記開口部に嵌合し側部に切り欠き部を有する本体板部と、
前記本体板部に回転自在に取り付けられ、回転角度によって前記切り欠き部の開口面積を変化させる取付け板部とを備えた蓋構造を用いたことを特徴とするものである。
【発明の効果】
【００１９】
このような本発明の蓋構造及びこれを用いたフリーアクセスフロアパネルによれば、１種類の蓋で色々な大きさの開口を得ることができる。
【発明を実施するための最良の形態】
【００２０】
以下、本発明の実施の形態について、図面に基づいて具体的に説明する。
図１ないし図８は、本発明による蓋構造及びこれを用いたフリーアクセスフロアパネルの一実施の形態について説明するために参照する図である。従来と同様の部品には同一の符号を用いて説明し、従来と同様の構成はその重複する説明を省略するものとする。
【００２１】
図１に示すように、前記従来例において説明したと同様のフリーアクセスフロアパネル２０の開口部２２には、蓋構造３０が嵌合して取り付けられ、この蓋構造３０の周部は、図２に示すように、リブ２０ｃの上面２０ｄ上に載置されて支持されるようになっている。
【００２２】
フリーアクセスフロアパネル２０の平面板部２０ａ上にはカーペットやタイル等の床敷設材２４が敷かれており、蓋構造３０の真上に敷かれる床敷設材２４は、その蓋構造３０の取り付けや取り外しができるようにくり抜かれて、着脱できるようになっている。
【００２３】
図３に示す蓋構造３０は、図４に示すような本体板部３２の片面に、図５に示すような取付け板部３８が重なるように構成されると共に、その片面における取付け板部３８から離れた位置に、図３に示すような帯状の矩形に形成された付属板４０が本体板部３２に重なるように構成されている。
【００２４】
本体板部３２と取付け板部３８のそれぞれにあけられた孔に挿通する、図６に示すような１本の皿ビス３４の先端部に、蝶ナット３６をネジ結合することにより、取付け板部３８は本体板部３２に取り付けられるようになっている。
【００２５】
取付け板部３８は、蝶ナット３６を緩めることにより本体板部３２に対して摺動かつ回転自在となり、蝶ナット３６を締付けることにより本体板部３２に対して回転不能に固定されるようになっている。
【００２６】
また、本体板部３２と付属板４０のそれぞれにあけられた孔に挿通する、図７に示すような皿ビス４２の先端部に、六角ナット４４をネジ結合することにより、付属板４０は本体板部３２に常時固定されるようになっている。図３に示すように、２組の皿ビス４２と六角ナット４４とのネジ結合により付属板４０は本体板部３２に固定される。
【００２７】
蓋構造３０の本体板部３２は、フリーアクセスフロアパネル２０の開口部２２よりわずかに小さ目の大きさと、開口部２２と同様の外形を有し、図４に示すように、本体板部３２の側部に開口するような大きな径のＵ字切り欠き孔３２ａ（切り欠き部）が形成されている。
【００２８】
蓋構造３０の取付け板部３８は、図５に示すように、元は四角形であったものから、１つの隅部（図中左上の隅部）が切り欠かれた直角凹部３８ａ（切り欠き部）が形成されていると共に、その直角凹部３８ａと反対側の隅部の近傍には小さな径のＵ字切り欠き孔３８ｂ（切り欠き部）が形成されている。
【００２９】
また取付け板部３８は、直角凹部３８ａとＵ字切り欠き孔３８ｂが形成されている２つの隅部以外の、第１隅部３８ｃと第２隅部３８ｄは、凹部や切り欠き孔等が何も形成されていない隅部そのままの状態となっている。
【００３０】
付属板４０は取付け板部３８と同じ厚さを有しており、この付属板４０は、フリーアクセスフロアパネル２０の開口部２２に蓋構造３０を取り付けたときに、その蓋構造３０が傾かないように左右両端部のバランスをとるために設けられるものである。
【００３１】
フリーアクセスフロアパネル２０と、蓋構造３０の本体板部３２及び取付け板部３８は、その材質にアルミニウムを用いることができるが、それらに他の材質を用いてもよいことはいうまでもない。
【００３２】
このような実施の形態に係る蓋構造及びこれを用いたフリーアクセスフロアパネルの使用方法について、以下に説明する。
【００３３】
このような実施の形態に係る蓋構造３０は、図８（ａ）に示すように、本体板部３２のＵ字切り欠き孔３２ａと取付け板部３８の直角凹部３８ａとが一致する位置に来るように、取付け板部３８を回転させてから固定することができる。すると蓋構造３０は、本体板部３２のＵ字切り欠き孔３２ａの開口面積が全開した状態となる。
【００３４】
また蓋構造３０は、図８（ａ）に示す状態の取付け板部３８を、皿ビス３４を中心にして反時計回り方向に９０°回転させると、図８（ｂ）に示すように、取付け板部３８の第１隅部３８ｃが、本体板部３２のＵ字切り欠き孔３２ａ内に位置する。すると本体板部３２のＵ字切り欠き孔３２ａは、取付け板部３８の第１隅部３８ｃによりその開口面積の全てが閉止されて、蓋構造３０は全く開口部が無い状態となる。
【００３５】
さらに蓋構造３０は、図８（ｂ）に示す状態の取付け板部３８を、皿ビス３４を中心にして反時計回り方向に９０°回転させると、図８（ｃ）に示すように、取付け板部３８のＵ字切り欠き孔３８ｂが本体板部３２のＵ字切り欠き孔３２ａ内に位置する。すると蓋構造３０は、取付け板部３８のＵ字切り欠き孔３８ｂのみが開口された状態となる。
【００３６】
したがって、径が最も大きな配管やダクト等を床下から床上に引き出す場合は、フリーアクセスフロアパネル２０の開口部２２に直接配管やダクト等を通すことができる。
【００３７】
また、上記径が最も大きなものよりは径が小さな配管やダクト等を床下から床上に引き出す場合は、図８（ａ）に示す状態の蓋構造３０を、フリーアクセスフロアパネル２０の開口部２２に取り付けて、その本体板部３２のＵ字切り欠き孔３２ａに配管やダクト等を通すことができる。
【００３８】
また、それよりさらに径が小さなコード類等を床下から床上に引き出す場合は、図８（ｃ）に示す状態の蓋構造３０を前記開口部２２に取り付けて、その取付け板部３８のＵ字切り欠き孔３８ｂにコード類等を通すことができる。
【００３９】
さらに、床下から床上に引き出すコード類やダクト、配管等が何もない場合は、図８（ｂ）示す状態の蓋構造３０を前記開口部２２に取り付ければよいことになる。
【００４０】
以上説明したように、本発明の蓋構造及びこれを用いたフリーアクセスフロアパネルによれば、１種類の蓋で色々な大きさの開口を得ることができる。このため、延長部材の径に応じた大きさの開口を選んで形成することにより、延長部材と開口との間に大きな空隙ができないようにすることができる。したがって、延長部材と開口との間の空隙から床下にゴミ等が落下したり、その空隙に靴の一部が引っ掛かったりすることを防止することができる。
【００４１】
また、１種類の蓋で色々な大きさの開口を得ることができ、複数の蓋部材を用意しなくともよいため、使わない蓋部材の保管場所が必要とならないので、保管場所を忘れて蓋部材をなくしてしまうことを防止することもできる。
【００４２】
また、１つの蓋部材で足りるので、従来のように複数の蓋部材を用意することによりコスト高を招くことを防止することもできる。
【００４３】
また前記実施の形態によれば、蓋構造３０の取付け板部３８は本体板部３２に回転自在に取り付けられているため、本体板部３２から離れることはないので取付け板部３８を紛失するおそれがない。
【００４４】
なお、上記実施の形態においては、本体板部３２のＵ字切り欠き孔３２ａと、取付け板部３８の形状との関係で、取付け板部３８の回転位置によってフリーアクセスフロアパネル２０の開口部２２を閉止したり、その開口面積を変化させることができるようにしたが、回転位置によってフリーアクセスフロアパネル２０の開口部２２を閉止したりその開口面積を変化させることができるようなものであれば、本体板部３２と取付け板部３８の形状は他のどのような形状であってもよい。
【００４５】
また上記実施の形態においては、蓋部材３０の開口部の開口面積が、Ｕ字切り欠き孔３２ａと３８ｂにより２種類に変化するようにしたが、蓋部材３０の開口部の開口面積は３種類以上に変化するように構成してもよい。
【図面の簡単な説明】
【００４６】
【図１】本発明の一実施の形態に係る蓋構造３０を開口部２２に取り付けた状態のフリーアクセスフロアパネル２０の上面図である。
【図２】図１におけるフリーアクセスフロアパネル２０及び蓋構造３０のＡ−Ａ線断面図である。
【図３】蓋構造３０を示す図であり、図３（ａ）はその平面図、図３（ｂ）はその側面図である。
【図４】蓋構造３０が有する本体板部３２の平面図である。
【図５】蓋構造３０が有する取付け板部３８の平面図である。
【図６】蓋構造３０の皿ビス３４と蝶ナット３６の軸線を通る面で切断した本体板部３２と取付け板部３８の断面図である。
【図７】蓋構造３０の皿ビス４２と六角ナット４４の軸線を通る面で切断した本体板部３２と付属板４０の断面図である。
【図８】蓋構造３０の本体板部３２と取付け板部３８の相対回転方向の位置関係を示す図であり、図８（ａ）はＵ字切り欠き孔３２ａの開口面積が全開した状態の蓋構造３０を示す図、図８（ｂ）は開口が全く無い状態の蓋構造３０を示す図、図８（ｃ）はＵ字切り欠き孔３８ｂのみが開いた状態の蓋構造３０を示す図である。
【図９】開口部２２が形成されたフリーアクセスフロアパネル２０の上面図である。
【図１０】開口部２２が形成されたフリーアクセスフロアパネル２０の下面図である。
【図１１】図１０におけるフリーアクセスフロアパネル２０のＢ−Ｂ線断面図である。
【図１２】従来の蓋部材２５を開口部２２に取り付けたフリーアクセスフロアパネル２０の上面図である。
【図１３】従来の蓋部材を示す図であり、図１３（ａ）は蓋部材２５を示す平面図、図１３（ｂ）は蓋部材２６を示す平面図、図１３（ｃ）は蓋部材２７を示す平面図である。
【符号の説明】
【００４７】
２０  フリーアクセスフロアパネル
２０ａ  平面板部
２０ｂ，２０ｃ  リブ
２０ｄ  上面
２２  開口部
２２ａ  輪郭線
２２ｂ  段差
２４  床敷設材
２５  蓋部材
２５ａ  Ｕ字切り欠き孔
２６  蓋部材
２６ｂ  Ｕ字切り欠き孔
２７  蓋部材
３０  蓋構造
３２  本体板部
３２ａ  Ｕ字切り欠き孔
３４  皿ビス
３６  蝶ナット
３８  取付け板部
３８ａ  直角凹部
３８ｂ  Ｕ字切り欠き孔
３８ｃ  第１隅部
３８ｄ  第２隅部
４０  付属板
４２  皿ビス
４４  六角ナット
【図１】
2006161379.tif 000003
【図２】
2006161379.tif 000004
【図３】
2006161379.tif 000005
【図４】
2006161379.tif 000006
【図５】
2006161379.tif 000007
【図６】
2006161379.tif 000008
【図７】
2006161379.tif 000009
【図８】
2006161379.tif 000010
【図９】
2006161379.tif 000011
【図１０】
2006161379.tif 000012
【図１１】
2006161379.tif 000013
【図１２】
2006161379.tif 000014
【図１３】
2006161379.tif 000015